(57)【要約】【課題】  本発明は、遊技機に配備されたユニットの保守点検が容易に行われるようにするとともに、該ユニットが不用意に開状態とならないようにすることが可能な構造を持つことができる。【解決手段】  本発明は、遊技機の本体部に備えられ、裏ユニットを開閉可能に裏ユニットの一端側を開閉可能に軸支する第一支持部（例えば、台座部１１２、突起部１１３、軸受部６８）と、閉状態である裏ユニットの他端を係止する係止部（例えば、掛止部１５１、支持部６１、回動部材６４）とを備える。係止部は、本体部に備えられる第二支持部（例えば、支持部６１）と、第二支持部に回動自在に支持された回動部材（例えば、回動部材６４）と、裏ユニットに備えられるとともに第二支持部に掛止する掛止部（例えば、掛止部１５１）とを備える。回動部材が所定方向に回転されることで、掛止部が第二支持部に掛止された状態で裏ユニットが閉状態で係止される。【選択図】    図４
2005131327.tif 000002
【特許請求の範囲】
【請求項１】
遊技者の正面側から見て裏側に、遊技機を構成するための裏ユニットを備える遊技機であって、
遊技機の本体部に備えられ、前記裏ユニットを開閉可能に前記裏ユニットの一端側を軸支する第一支持部と、
閉状態である前記裏ユニットの他端を係止する係止部とを備え、
前記係止部は、前記本体部に備えられる第二支持部と、前記第二支持部に回動自在に支持された回動部材と、前記裏ユニットに備えられるとともに前記第二支持部に掛止する掛止部とを備え、
前記回動部材が所定方向に回転されることで、前記掛止部が前記第二支持部に掛止された状態で前記裏ユニットが閉状態で係止されることを特徴とする遊技機。
【請求項２】
遊技者の正面側から見て裏側に、遊技機を構成するための裏ユニットを備える遊技機であって、
遊技機の本体部に備えられ、前記裏ユニットを開閉可能に前記裏ユニットの一端側を軸支する第一支持部と、
閉状態である前記裏ユニットの他端を係止する係止部とを備え、
前記係止部は、前記裏ユニットに備えられる第二支持部と、前記第二支持部に回動自在に支持された回動部材と、前記本体部に備えられるとともに前記第二支持部に掛止する掛止部とを備え、
前記回動部材が所定方向に回転されることで、前記掛止部が前記第二支持部に掛止された状態で前記裏ユニットが閉状態で係止されることを特徴とする遊技機。
【請求項３】
円弧状に形成された前記掛止部の外側、及び前記回動部材の内側のそれぞれには、突起部が備えられており、
前記回動部材の内側に備えられた突起部が、前記第二支持部に掛止された前記掛止部の外周に沿って移動され、該掛止部の外側に備えられた突起部を乗越えて、前記回動部材の回動を固定することにより前記裏ユニットを閉状態で係止することを特徴とする請求項１又は請求項２のいずれかに記載の遊技機。
【請求項４】
前記裏ユニットは、電子部品が配備された制御基板を収容する基板ケースであることを特徴とする請求項１又は請求項２のいずれかに記載の遊技機。
【発明の詳細な説明】
【技術分野】
【０００１】
本発明は、裏ユニットを備える遊技機に関する。
【背景技術】
【０００２】
従来からは、電子部品が配備された制御基板などを収容するユニットがネジにより遊技機側に取り付けられる構造がある（例えば、特許文献１参照）。また、ユニット側及び遊技機側のいずれか一方に爪部が形成され、他方に該爪部を嵌め込む穴部が形成され、爪部が穴部に嵌め込まれることにより、ユニットが遊技機側に取り付けられる構成もある（例えば、特許文献２参照）。
【特許文献１】特開平１１−１７９０２４号公報
【特許文献２】特開平１０−２０１９２３号公報
【発明の開示】
【発明が解決しようとする課題】
【０００３】
しかしながら、作業者が遊技機を保守点検する際には、当該作業者は、遊技機に取り付けられた上記ユニットを取り外さなければならないことがあり、煩わしいという感を拭えなかった。具体的には、ユニットがネジで取り付けられていれば、作業者はドライバーでネジを外さなければならないし、一方ユニットが爪部で取り付けられていれば、作業者は外部から爪部を反らすこと等の煩わしい作業をしなければならなかった。また、作業者がユニットを取り外す際に、当該作業者は工具の使い方によってはユニット又はユニットを取り付ける箇所を破損させてしまうこともあった。
【０００４】
一方、上記ユニットがヒンジ機構により取り付けられていれば、作業者は、当該ユニットを取り外す必要が無いため、遊技機の保守点検をし易いが、当該ユニットは、不用意に開状態になることがあった。
【０００５】
そこで、本発明は以上の点に鑑みてなされたものであり、遊技機に配備されたユニットの保守点検が容易に行われるようにするとともに、該ユニットが不用意に開状態とならないようにすることが可能な構造を持つ遊技機を提供することを課題とする。
【課題を解決するための手段】
【０００６】
本発明は、上記課題を解決するために、遊技者の正面側から見て裏側に遊技機を構成するための裏ユニットを備える遊技機であって、遊技機の本体部（例えば、中枠６０）に備えられ、裏ユニットを開閉可能に裏ユニットの一端側を軸支する第一支持部（例えば、台座部１１２、突起部１１３、軸受部６８）と、閉状態である裏ユニットの他端を係止する係止部（例えば、掛止部１５１、支持部６１、回動部材６４）とを備え、係止部は、本体部に備えられる第二支持部（例えば、支持部６１）と、第二支持部に回動自在に支持された回動部材（例えば、回動部材６４）と、裏ユニットに備えられるとともに第二支持部に掛止する掛止部（例えば、掛止部１５１）とを備え、回動部材が所定方向に回転されることで、掛止部が第二支持部に掛止された状態で裏ユニットが閉状態で係止されることを特徴とする。
【０００７】
また、本発明は、遊技者の正面側から見て裏側に遊技機を構成するための裏ユニットを備える遊技機であって、遊技機の本体部に備えられ、裏ユニットを開閉可能に裏ユニットの一端側を軸支する第一支持部と、閉状態である裏ユニットの他端を係止する係止部とを備え、係止部は、裏ユニットに備えられる第二支持部と、第二支持部に回動自在に支持された回動部材と、本体部に備えられるとともに第二支持部に掛止する掛止部とを備え、回動部材が所定方向に回転されることで、掛止部が第二支持部に掛止された状態で裏ユニットが閉状態で係止されることを特徴とする。
【０００８】
なお、裏ユニットは、電子部品が配備された制御基板を収容する基板ケース（例えば、１００）であってもよい。
【０００９】
このような本発明によれば、回動部材が所定方向に回転されることで、掛止部が第二支持部に掛止された状態で裏ユニットが閉状態で係止されることにより、遊技機は、遊技機に配備された裏ユニットの保守点検が容易に行われるようにするとともに、該裏ユニットが不用意に開状態とならないようにすることが可能な構造を持つことができる。
【００１０】
上記発明においては、円弧状に形成された掛止部の外側、及び回動部材の内側のそれぞれには、突起部（例えば、突起部１５４、突起部６５）が備えられており、回動部材の内側に備えられた突起部（例えば、突起部６５）が、第二支持部に掛止された掛止部の外周に沿って移動され、掛止部の外側に備えられた突起部（例えば、突起部１５４）を乗越えて、回動部材の回動を固定することにより裏ユニットを閉状態で係止してもよい。
【００１１】
この場合には、回動部材の内側に備えられた突起部が、第二支持部に掛止された掛止部の外周に沿って移動され、掛止部の外側に備えられた突起部を乗越えて、回動部材の回動を固定することにより裏ユニットを閉状態で係止するため、作業者等は、ネジ止め等の作業を行うことなく、回動部材の内側に備えられた突起部と掛止部の外側に備えられた突起部とを移動させるだけで裏ユニットを係止することができ、当該裏ユニットの係止又は係止の解除を容易に行うことができる。
【発明の効果】
【００１２】
以上説明したように本発明によれば、遊技機に配備されたユニットの保守点検が容易に行われるようにするとともに、該ユニットが不用意に開状態とならないようにすることが可能な構造を持つことができる。
【発明を実施するための最良の形態】
【００１３】
（本実施形態における遊技機の構成）
本実施形態における遊技機１の構成について、図面を参照しながら説明する。図１は、本実施形態における遊技機１の全体を示す斜視図である。
【００１４】
同図に示すように、遊技機１は、遊技場の島設備に遊技機１を設置するために設けられている外枠８０と、外枠８０の内側に設けられた中枠６０に回動可能に軸支されている前枠１０と、回転操作されることにより遊技盤３０上の遊技領域に向けて遊技球を発射するように構成された発射ハンドル４０と、遊技球を受け入れる上皿／下皿２０と、遊技球の流下方向に変化を与え、又は遊技領域へ射出された遊技球を受け入れる遊技部材（例えば、遊技球の流下方向に変化を与える流下方向変化部材３１，３２、透光性を有する部材で構成されるとともに遊技球を受け入れる一般入賞口３３、始動口３４又は役物など）が配設された遊技盤３０と、一般入賞口３３などに受け入れられない遊技球を排出するためのアウト口３５とを具備する。
【００１５】
図２は、本実施形態における遊技機１の裏側を示す斜視図である。同図に示すように、遊技機１は、電子部品が配備された制御基板を収容する基板ケース１００（裏ユニット）と、補給された複数の遊技球の中から所定数の遊技球を払い出すように構成された払出ユニット９０とを裏側に具備している。
【００１６】
基板ケース１００は、中枠６０に配備されており、第一支持部（台座部１１２、突起部１１３、軸受部６８）によって基板ケース１００の一端が開閉可能に支持されている。図３は、基板ケース１００が開閉可能に取り付けられる様子を示す図である。
【００１７】
同図に示すように、台座部１１２は、基板ケース１００の裏面の一端に配備されており、台座部１１２の底部には後述する突起部１１３が配備されている。突起部１１３は、当該台座部１１２の底部に配備されており、下方に向かって突出された部材である。軸受部６８は、中枠６０の一端に配備され、台座部１１２の底部に配備された突起部１１３を受け入れる受入口である。この突起部１１３が中枠６０の裏側に配備された軸受部６８に受け入れられることにより、基板ケース１００が開閉可能に支持される。
【００１８】
また、同図に示すように、基板ケース１００は、係止部（掛止部１５１、支持部６１、回動部材６４）によって基板ケース１００の他端が閉状態で係止される。
【００１９】
図４（ａ）及び（ｂ）は、掛止部１５１が支持部６１に掛止される前の様子を示す斜視図及び断面図である。
【００２０】
図４（ａ）及び（ｂ）に示すように、支持部６１は、中枠６０に配備されており、掛止部１５１が閉状態となったときに掛止部１５１を支持する部材である。この支持部６１は、支持部６１を中枠６０に固定するための固定部６２と、固定部６２に備えられるとともに掛止部１５１が掛止されるように構成された掛止支持部６３とを備えている。
【００２１】
回動部材６４は、掛止支持部６３に回動可能に支持されており、掛止支持部６３に支持された掛止部１５１を係止する部材である。この回動部材６４は、図４（ａ）及び（ｂ）に示すように、回動部材６４を回動可能に掛止支持部６３に支持する回動支持部材６６と、回動部材６４の外面から内側に向けて突出された形状から構成され、外部からの作用により撓むことが可能な回動突出部６７と、回動突出部６７の内側に配備され、掛止支持部６３に向けて突出された突起部６５とを備えている。
【００２２】
上述の回動支持部材６６は、掛止支持部６３の両端で回動部材６４を支持している。この両端で支持している回動支持部材６６の内側には、掛止部材１５３が掛止支持部６３に掛止するための切欠き部６９が形成されている。
【００２３】
掛止部１５１は、基板ケース１００に配備されるとともに掛止支持部６３に掛止する部材であり、基板ケース１００の縁側に配備されたアーム部１５２と、アーム部１５２の先端に円弧状に形成された掛止部材１５３と、掛止部材１５３の外側に配備された突起部１５４とを備えている。
【００２４】
なお、本実施形態では、支持部６１及び回動部材６４は中枠６０側に配備され、掛止部１５１は基板ケース１００側に配備されているが、支持部６１及び回動部材６４は基板ケース１００側に配備され、掛止部１５１は中枠６０側に配備されてもよい。
【００２５】
図５（ａ）及び（ｂ）は、掛止部材１５３が掛止支持部６３に掛止されたときの様子を示す斜視図及び断面図である。図５（ａ）及び（ｂ）に示すように、掛止部材１５３が切欠き部６９の内側で掛止支持部６３に掛止される。
【００２６】
図６（ａ）乃至（ｃ）は、掛止部１５１と回動部材６４とが閉状態で基板ケース１００を係止するまでの手順を示す図である。図７（ａ）及び（ｂ）は、回動部材６４が回動されることにより、当該回動部材６４及び掛止支持部６３に支持された掛止部１５１が基板ケース１００を閉状態で係止した後の様子を示す斜視図及び断面図である。
【００２７】
図６（ａ）に示すように、掛止部材１５３が掛止支持部６３に掛止されたときに、回動部材６４が外部からの作用により回動されると、回動部材６４に配備された回動突出部６７の内側に配備された突起部６５が掛止部材１５３の外周方向に沿って移動される。
【００２８】
そして、図６（ｂ）、図６（ｃ）及び図７に示すように、回動突出部６７が回動され、当該回動突出部６７に配備された突起部６５が掛止部材１５３の外周面に備えられた突起部１５４に当接し、当接した突起部６５が回動方向に沿う外力を受け続けると、当該回動突出部６７が上方向に撓むことになる。このことにより、突起部６５が突起部１５４を乗越えて、回動部材６４の回動を固定することにより基板ケース１００を閉状態で係止する。
【００２９】
なお、図６（ｃ）に示すように、回動部材６４が最終の回動位置（例えば、回動部材６４の角度が０のとき）まで回動され、この回動に連動して突起部６５が掛止部材１５３の外周の位置Ｐに移動されたときに、突起部１５４は、当該位置Ｐの手前に配備されるとともに掛止部材１５３の外周面に配備されるのが好ましい。
【００３０】
なお、係止部（掛止部１５１、支持部６１、回動部材６４）は、一箇所に限定されずに複数配備されてもよい。また、裏ユニットは、基板ケース１００に限定されず、払出ユニット９０などであってもよい。
【００３１】
なお、回動部材６４が回動されることにより、当該回動部材６４及び掛止支持部６３に支持された掛止部１５１が基板ケース１００を閉状態で係止していたが、これに限定されず、スライド可能に中枠６０又は基板ケース１００に配備され、外部からの作用でスライドされることにより基板ケース１００に配備された部材と中枠６０に配備された部材とを挟み込み、基板ケース１００を閉状態で係止するスライド式係止部が備えられてもよい。これにより、作業者等は、スライド式係止部をスライドさせるだけで基板ケース１００を閉状態で係止することができ、より簡単な手順で基板ケース１００を係止又は係止の解除をすることができる。
【００３２】
（本実施形態における遊技機の作用及び効果）
このような本発明によれば、基板ケース１００が開閉可能に配備されることにより、作業者等は、基板ケース１００の保守点検を行う際に基板ケース１００を取り外すことなく、基板ケース１００を開状態にするだけで保守点検をすることができるとともに、遊技機１は、遊技機１に配備された基板ケース１００の保守点検が容易に行われるようにすることが可能な構造を持つことができる。
【００３３】
また、回動部材６４が回動されることにより、回動部材６４及び支持部６１に支持された掛止部１５１が基板ケース１００を閉状態で係止することにより、遊技機１は、当該基板ケース１００が不用意に開状態とならないようにすることが可能な構造を持つことができる。
【００３４】
また、回動部材６４の内側に備えられた突起部６５が、掛止支持部６３に掛止された掛止部材１５３の外周に沿って移動され、掛止部材１５３の外側に備えられた突起部１５４を乗越えて、回動部材６４の回動を固定することにより基板ケース１００を閉状態で係止するため、作業者等は、ネジ止め等の作業を行うことなく、回動部材６４の内側に備えられた突起部６５と掛止部材１５３の外側に備えられた突起部１５４とを移動させるだけで基板ケース１００を係止することができ、当該基板ケース１００の係止又は係止の解除を容易に行うことができる。
【図面の簡単な説明】
【００３５】
【図１】本実施形態における遊技機を示す斜視図である。
【図２】本実施形態における遊技機を示す裏面図である。
【図３】本実施形態における基板ケースが中枠に取り付けられる様子を示す図である。
【図４】本実施形態における係止部が裏ユニットの他端を閉状態で係止する様子を示す図である（その１）。
【図５】本実施形態における係止部が裏ユニットの他端を閉状態で係止する様子を示す図である（その２）。
【図６】本実施形態における係止部が裏ユニットの他端を閉状態で係止する様子を示す図である（その３）。
【図７】本実施形態における係止部が裏ユニットの他端を閉状態で係止する様子を示す図である（その４）。
【符号の説明】
【００３６】
１…遊技機、１０…前枠、２０…上皿／下皿、２４…発射ハンドル、３０…遊技盤、３１，３２…流下方向変化部材、３３…一般入賞口、３４…始動口、６０…中枠、６１…支持部、６２…固定部、６３…掛止支持部、６４…回動部材、６５…突起部、６６…回動支持部材、６７…回動突出部、６８…軸受部、６９…切欠き部、８０…外枠、９０…払出ユニット、１００…基板ケース、１１２…台座部、１１３…突起部、１５１…掛止部、１５２…アーム部、１５３…掛止部材、１５４…突起部
【図１】
2005131327.tif 000003
【図２】
2005131327.tif 000004
【図３】
2005131327.tif 000005
【図４】
2005131327.tif 000006
【図５】
2005131327.tif 000007
【図６】
2005131327.tif 000008
【図７】
2005131327.tif 000009